(57)【要約】【課題】  従来、扉や蓋などの開閉に用いられる蝶番において、扉などの取付を容易にするために軸芯棒の長さを異ならせた。そのため、同じ長さの軸芯棒を使用する場合と比べて、部品の種類が増え、部品を管理する手間やコストが増大するおそれがあった。【解決手段】  本発明は、このおそれを解消するために、軸芯棒が固定される第１軸筒を備えた第１羽根板と、軸芯棒が挿入される第２軸筒を備えた第２羽根板とを備えた蝶番において、第１軸筒には、第１軸筒より突出する軸芯棒の長さを調整する軸芯棒調整手段が設けられる。また、軸芯棒調整手段が、軸芯棒に形成された雄ねじ部と、第１軸筒に形成された雌ねじ部と、から構成され、軸芯棒を第１軸筒にねじ込むことで、第１軸筒より突出する軸芯棒の長さを調整する。【選択図】  図２
2015137521.tif 000002
【特許請求の範囲】
【請求項１】
軸芯棒が固定される第１軸筒を備えた第１羽根と、前記軸芯棒が挿入される第２軸筒を備えた第２羽根とを備えた蝶番において、
前記第１軸筒には、前記第１軸筒より突出する前記軸芯棒の長さを調整する軸芯棒調整手段が設けられることを特徴とする蝶番。
【請求項２】
前記軸芯棒調整手段は、
前記軸芯棒に形成された雄ねじ部と、
前記第１軸筒に形成された雌ねじ部と、
から構成され、
前記軸芯棒を前記第１軸筒にねじ込むことで、前記第１軸筒より突出する前記軸芯棒の長さを調整できることを特徴とする請求項１に記載の蝶番。
【請求項３】
前記軸芯棒には、前記軸芯棒と前記第１軸筒とを固定されるナットを備えることを特徴とする請求項２に記載の蝶番。
【発明の詳細な説明】
【技術分野】
【０００１】
本発明は、扉や蓋などの開閉に用いられる蝶番に関するものである。
【背景技術】
【０００２】
筐体に扉を取り付ける場合、一般的に蝶番が広く用いられている。蝶番は左右一対の羽根を備え、この羽根は後述する羽根板と軸筒より構成される。羽根板は金属板より形成され、一方の羽根にある羽根板は扉枠にねじ止めされ、他方の羽根にある羽根板は扉にねじ止めされる。軸筒は蝶番の中央に配置され、円筒形状をなし両方の羽根板それぞれに取付けられている。さらに、蝶番は一対の羽根を回動可能に連結するために棒形状をした軸芯棒を備え、一対の内どちらか一方の羽根にある軸筒に軸芯棒が挿入され、且つ、一定の長さだけ軸筒から突出している。そして、突出した軸芯棒を他方の羽根にある軸筒に自由に抜き差しできる構成となっている。通常、扉などには２つ以上の蝶番が使用されている。そのため、扉を取り付ける際に、対応する全ての蝶番の軸芯棒と軸筒を同時に合わせる必要があり、扉の取付が難しいという問題があった。
【０００３】
この問題を解決する方法として、特許文献１に記載されている蝶番では、軸芯棒の長さを異ならせることにより、長い軸芯棒を軸筒に挿入して位置合わせをした上で、短い軸芯棒の位置合わせをして軸筒に挿入することで、扉が取付できるようになっている。
【０００４】
【特許文献１】特開平９−６０３９６号公報
【発明の概要】
【発明が解決しようとする課題】
【０００５】
特許文献１に開示されている蝶番では、長さの異なる軸芯棒を用意する必要がある。そのため、同じ長さの軸芯棒を２か所に使用する場合と比べて、部品の種類が増えて、部品を管理する手間やコストが増大するおそれがあった。
【課題を解決するための手段】
【０００６】
上述した課題を解決するために、本発明の蝶番は、軸芯棒が固定される第１軸筒を備えた第１羽根と、軸芯棒が挿入される第２軸筒を備えた第２羽根とを備えた蝶番において、第１軸筒には、第１軸筒より突出する軸芯棒の長さを調整する軸芯棒調整手段が設けられる。
【０００７】
また、軸芯棒調整手段は、軸芯棒に形成された雄ねじ部と、第１軸筒に形成された雌ねじ部と、から構成され、軸芯棒を第１軸筒にねじ込むことで、第１軸筒より突出する軸芯棒の長さを調整できる。
【０００８】
さらに、軸芯棒には、軸芯棒と第１軸筒とを固定されるナットを備える。
【発明の効果】
【０００９】
本発明の蝶番によれば、部品の種類が増えて、部品を管理する手間が増大するおそれを解消できる。
【図面の簡単な説明】
【００１０】
【図１】図１は、本発明の蝶番の取付形態を示す斜視図である。
【図２】図２は、本発明の蝶番の各構成部を示す正面図である。
【発明を実施するための形態】
【００１１】
以下に、本発明にかかる蝶番の実施例を図面に基づいて、詳細に説明する。
【００１２】
本発明の実施の形態にかかる蝶番について、図１と図２に基づいて説明する。図１に示すように、蝶番１００は、箱体２００の側面にねじ止めされる第１羽根１１０と、蓋体３００の側面にねじ止めされる第２羽根１２０と、第１羽根１１０と第２羽根１２０を回動可能に連結する軸芯棒１３０を有する。
【００１３】
図２（ａ）に示すように、第１羽根１１０には軸芯棒１３０がねじ止めされる第１軸筒１１１が設けられ、第２羽根１２０には軸芯棒１３０が挿入される第２軸筒１２１が設けられる。第１羽根１１０には板形状の第１羽根板１１２が設けられ、この第１羽根板１１２の長手方向の長さは軸芯棒１３０の長さよりも若干長い。第１軸筒１１１は第１羽根板１１２に形成された円筒形状であり、第１羽根板１１２の長さの約半分の長さである。また、第２羽根１２０も第１羽根１１０と同様に板形状の第２羽根板１２２が設けられ、第２羽根板１２２の長手方向の長さは軸芯棒１３０の長さよりも若干長い。第２軸筒１２１も第１軸筒１１１と同様に第２羽根板１２２に形成された円筒形状であり、第２羽根板１２２の長さの約半分の長さである。また、第１羽根板１１２には箱体２００にねじ止めされるためのねじ孔１１５が形成されている。同様に、第２羽根板１２２には蓋体３００にねじ止めされるためのねじ孔１２３が形成されている。また、第１軸筒１１１の内側には、雌ねじ部１１３が設けられる。この雌ねじ部１１３と後述する雄ねじ部１３１で、第１軸筒１１１より突出する軸芯棒１３０の長さを調整出来る。
【００１４】
図２（ｂ）に示すように、軸芯棒１３０には雄ねじ部１３１が設けられ、この雄ねじ部１３１にナット１４０が取付けられる。雄ねじ部１３１が雌ねじ部１１３にねじ込まれることで、軸芯棒１３０が第１軸筒１１１にねじ止めされる。なお、軸芯棒１３０が第１軸筒１１１にねじ込まれる長さによって、第１軸筒１１１より突出する軸芯棒１３０の長さを調整することができる。軸芯棒１３０の先端には凹凸状の滑り止めがされているローレット部１３２が設けられ、ローレット部１３２を指でつまんで回すことで、軸芯棒１３０の雄ねじ部１３１が第１軸筒１１１の雌ねじ部１１３にねじ込まれる。また、ナット１４０を第１軸筒１１１の挿入口部１１４に当接させるように指で回し、当接した状態からさらに指でナット１４０を回すことで、軸芯棒１３０が軸方向に引っ張られ、雄ねじ部１３１と雌ねじ部１１３の夫々のフランク（ねじ山の傾斜面）が当接し、軸芯棒１３０が第１軸筒１１１に固定される。これにより、軸芯棒１３０の緩み止めとなる。
【００１５】
次に、本発明の蝶番１００を用いた箱体２００への蓋体３００の取付方法について説明する。
図１に示すように、箱体２００の側面の端に軸芯棒１３０が固定される第１軸筒１１１を備えた第１羽根１１０が２箇所ねじ止めされ、蓋体３００の側面の端に軸芯棒１３０が挿入される第２軸筒１２１を備えた第２羽根１２０が第１羽根１１０と対になるように２箇所ねじ止めされる。図２（Ｃ）に示すように、設けられた２箇所の内、下方の蝶番１００ａにある軸芯棒１３０ａの第１軸筒１１１ａより突出した箇所の長さＬ１が、上方の蝶番１００ｂにある軸芯棒１３０ｂの第１軸筒１１１ｂより突出した箇所の長さＬ２よりも短くなるように、下方の軸芯棒１３０ａを上方の軸芯棒１３０ｂよりも深く第１軸筒１１１ａにねじ込む。なお、ナット（１４０ａ、１４０ｂ）は第１軸筒（１１１ａ、１１１ｂ）に当接して締付けることで、軸芯棒（１３０ａ、１３０ｂ）を固定するとともに緩み止めの働きをする。また、ナット（１４０ａ、１４０ｂ）を事前に軸芯棒（１３０ａ、１３０ｂ）の突出する長さに合わせて配置しておくと軸芯棒（１３０ａ、１３０ｂ）が第１軸筒（１１１ａ、１１１ｂ）より突出する長さの目安の役目を果たすことが出来る。
【００１６】
次に、軸芯棒１３０の突出した箇所が長い上方にある軸芯棒１３０ｂから位置合わせをし、軸芯棒１３０ｂを第２軸筒１２１ｂに若干挿入する。次に、軸芯棒１３０の突出した箇所が短い下方にある軸芯棒１３０ａの位置合わせをし、軸芯棒１３０ａを第２軸筒１２１ａに完全に挿入する。これにより、箱体２００に蓋体３００が取付けられる。なお、蓋体３００の重みで、軸芯棒１３０は上から抑えられるため、外れにくくなっている。また、蝶番１００によって回転可動に連結された蓋体３００はぶれることが無くなる。さらに、万が一のために、箱体２００と蓋体３００は図示しない落下防止用の金属ワイヤーで連結されている。
【００１７】
以上より、本発明の蝶番では、容易に取付けられると共に、用意する軸芯棒が１種類で良いため部品を管理する手間やコストが増大するおそれを解消することが出来る。
【符号の説明】
【００１８】
１００    蝶番
１１０    第１羽根
１１１    第１軸筒
１１２    第１羽根板
１２０    第２羽根
１２１    第２軸筒
１２２    第２羽根板
１３０    軸芯棒
１３１    雄ねじ部
１４０    ナット
２００    箱体
３００    蓋体
【図１】
2015137521.tif 000003
【図２】
2015137521.tif 000004